(57)【要約】【課題】側面に隣接したコネクタのキャップを隣接させて設けた場合であっても、コネクタキャップどうしの位置決めが容易にできる携帯電子機器を提供する。【解決手段】本発明に係る携帯電話機１は第２筐体３と、第２筐体３側面に形成される、第１開口部２５ａ及び第２開口部２５ｂと、第１開口部２５ａと第２開口部の間部分に設けられているリブ２３と、有し、リブ２３の外部側表面は、第２筐体３側面の開口部２５以外の部分の外部側表面よりも、内部側に位置する。【選択図】図５
2010258833.tif 000002
【特許請求の範囲】
【請求項１】
筐体と、
前記筐体側面に形成される、第１の開口部及び第２の開口部と、
前記第１の開口部と前記第２の開口部の間部分に設けられているリブと、
前記第１の開口部と前記第２の開口部を閉塞可能なコネクタキャップと、
を有し、
前記リブの外部側表面は、前記筐体側面の開口部以外の部分の外部側表面よりも、内部側に位置し、
前記コネクタキャップが前記第１の開口部及び前記第２の開口部を閉塞する場合に、前記コネクタキャップの位置決めを前記リブが行っている
携帯電子機器。
【請求項２】
前記筐体は、
第１の筐体と、
前記第１の筐体と内面同士を対向させて接合される前記第２の筐体と、を有し、
前記第１の開口部及び前記第２の開口部は、
前記筐体の前記第１の筐体と前記第２の筐体とが接合される部分に、前記第１の筐体及び前記第２の筐体の両筐体の切欠部を対向させて形成されている
請求項１に記載の携帯電子機器。
【請求項３】
前記リブは、前記第１の筐体に設けられている第１のリブと、前記第２の筐体に設けられている第２のリブと、を有し、
前記第２のリブの幅は、前記第１のリブの幅よりも狭く形成されている
請求項２に記載の携帯電子機器。
【請求項４】
前記第１の開口部及び前記第２の開口部のそれぞれに配設されているコネクタを有する
請求項１〜３いずれか１項に記載の携帯電子機器。
【請求項５】
前記第１の開口部を閉塞可能な第１のコネクタキャップは、前記第２の開口部側と反対側の位置の第１引き出し部において前記第１の筐体及び第２の筐体と連結されており、
前記第２の開口部を閉塞可能な第２のコネクタキャップは、前記第１の開口部側と反対側の位置の第２引き出し部において前記第１の筐体及び第２の筐体と連結されており、
前記リブは、前記第１のコネクタキャップが前記第１の開口部を閉塞する場合における位置決めを行っており、
前記リブは、前記第２のコネクタキャップが前記第２の開口部を閉塞する場合における位置決めを行っている
請求項１〜４いずれか１項に記載の携帯電子機器。
【請求項６】
前記第１のコネクタキャップが前記第１の開口部を閉塞し、前記第２のコネクタキャップが前記第２の開口部を閉塞している場合に、
前記第１のコネクタキャップの第１張出部及び前記第２のコネクタキャップの第２張出部は、前記リブの外部側表面に覆いかぶさっている
請求項１〜５いずれか１項に記載の携帯電子機器。
【請求項７】
前記コネクタキャップは、可撓性を有する材質によって構成されている
請求項１〜６いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
携帯電子機器の側面にはさまざまなコネクタ部１０１が形成されている。
図８は、携帯電子機器の側面に隣接したコネクタのキャップ１０２を隣接して設ける場合に従来行われていた形式である。つまり、コネクタのキャップ間には支柱１００が設けられていた。
特許文献１には、突起部を外部接続用コネクタキャップと一体形成することによって、部品点数の増加を防止した発明が記載されている。
【先行技術文献】
【特許文献】
【０００３】
【特許文献１】特開２００６―１１５１６３号公報
【発明の概要】
【発明が解決しようとする課題】
【０００４】
図８における従来技術においては、携帯電子機器の側面に、隣接したコネクタのキャップを隣接させて設ける場合に、フロント筐体とリア筐体の作成誤差によりコネクタキャップどうしの位置決めが困難であった。
【０００５】
本発明の目的は、側面に隣接したコネクタのキャップを隣接させて設けた場合であっても、コネクタキャップどうしの位置決めが容易にできる携帯電子機器を提供することである。
【課題を解決するための手段】
【０００６】
本発明の携帯電子機器は、筐体と、前記筐体側面に形成される、第１の開口部及び第２の開口部と、前記第１の開口部と前記第２の開口部の間部分に設けられているリブと、前記第１の開口部と前記第２の開口部を閉塞可能なコネクタキャップと、を有し、前記リブの外部側表面は、前記筐体側面の開口部以外の部分の外部側表面よりも、内部側に位置し、前記コネクタキャップが前記第１の開口部及び前記第２の開口部を閉塞する場合に、前記コネクタキャップの位置決めを前記リブが行っている。
【０００７】
好適には、前記筐体は、第１の筐体と、前記第１の筐体と内面同士を対向させて接合される前記第２の筐体と、を有し、前記第１の開口部及び前記第２の開口部は、前記筐体の前記第１の筐体と前記第２の筐体とが接合される部分に、前記第１の筐体及び前記第２の両筐体の切欠部を対向させて形成されている。
【０００８】
好適には、前記リブは、前記第１の筐体に設けられている第１のリブと、前記第２の筐体に設けられている第２のリブと、を有し、前記第２のリブの幅は、前記第１のリブの幅よりも狭く形成されている。
【０００９】
好適には、携帯電子機器は、前記第１の開口部及び前記第２の開口部のそれぞれに配設されているコネクタとを有する。
【００１０】
好適には、前記第１の開口部を閉塞可能な第１のコネクタキャップは、前記第２の開口部側と反対側の位置の第１引き出し部において前記第１の筐体及び第２の筐体と連結されており、前記第２の開口部を閉塞可能な第２のコネクタキャップは、前記第１の開口部側と反対側の位置の第２引き出し部において前記第１の筐体及び第２の筐体と連結されており、前記リブは、前記第１のコネクタキャップが前記第１の開口部を閉塞する場合における位置決めを行っており、前記リブは、前記第２のコネクタキャップが前記第２の開口部を閉塞する場合における位置決めを行っている。
【００１１】
好適には、前記第１のコネクタキャップが前記第１の開口部を閉塞し、前記第２のコネクタキャップが前記第２の開口部を閉塞している場合に、前記第１のコネクタキャップの第１張出部及び前記第２のコネクタキャップの第２張出部は、前記リブの外部側表面に覆いかぶさっている。
【００１２】
好適には、前記コネクタキャップは、可撓性を有する材質によって構成されている。
【発明の効果】
【００１３】
本発明によると、側面に隣接したコネクタのキャップを隣接させて設けた場合であっても、コネクタキャップどうしの位置決めが容易にできる携帯電子機器を提供することである。
【図面の簡単な説明】
【００１４】
【図１】本発明の実施形態に係る携帯電話機の外観を開状態で示す斜視図である。
【図２】第２筐体を側面から見た外観図である。
【図３】図２において第１コネクタキャップと第２コネクタキャップを除去した図である。
【図４】図３における第１開口部２５ａ及び第２開口部２５ｂを拡大した拡大図である。
【図５】図４におけるＡ部分を拡大した拡大図である。
【図６】図５におけるＶＩ−ＶＩにおける断面図である。
【図７】図５のＶＩＩ−ＶＩＩにおける断面図である。
【図８】従来例を説明する説明図である。
【発明を実施するための形態】
【００１５】
図１は、本発明の実施形態に係る携帯電話機１の外観を開状態で示す斜視図である。
【００１６】
携帯電話機１は、いわゆる折り畳み式の携帯電話機１として構成されており、開状態と閉状態との間で互いに回動可能にヒンジ部９によって連結された第１筐体２及び第２筐体３を有している。図１は、第１筐体２及び第２筐体３の開状態を示している。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１７】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１８】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００１９】
また、第１筐体２においてヒンジ部９に向かう方向を連結部方向（図１の第１筐体２においては、紙面下の方向）といい、その逆を連結部反対方向（図１の第１筐体２においては、紙面上方向）という。
同様に、第２筐体３においても、ヒンジ部９に向かう方向を連結部方向（図１の第２筐体３においては、紙面上の方向）といい、その逆を連結部反対方向（図１の第２筐体３においては、紙面下の方向）という。
【００２０】
さらに、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といい、左側面１２面に向かう方向を左側面方向（図１においては、紙面左の方向）という。
【００２１】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２２】
また、図１のように、第２筐体フロントケース６の表面方向には、入力部１０が配置されている。この入力部１０をユーザが操作することによって、携帯電話機１に命令の入力、文字の入力等がなされる。
【００２３】
図２は、第２筐体３を側面から見た外観図である。
【００２４】
図２のように、第２筐体フロントケース６と第２筐体リアケース７の接合部分には、第１コネクタキャップ２０ａと第２コネクタキャップ２０ｂが配設されている。
この第１コネクタキャップ２０ａと第２コネクタキャップ２０ｂは連続して配設されており、第１コネクタキャップ２０ａと第２コネクタキャップ２０ｂとの間には支柱は配設されていない。
【００２５】
図３は、図２において第１コネクタキャップ２０ａと第２コネクタキャップ２０ｂを除去した図である。
【００２６】
図３のように、第１コネクタキャップ２０ａの内部には第１開口部２５ａが開口している。
この第１開口部２５ａは、第２筐体フロントケース６の裏面方向の一部及び第２筐体リアケース７の表面方向の一部の両方を切欠くことによって形成されている。
そして、この第１開口部２５ａの内部には第１コネクタ２１ａが配置されている。
また、第１開口部２５ａの連結部反対方向の位置には第１コネクタキャップ２０ａを第２筐体３に係止するための第１コネクタキャップの引き出し部２２ａが形成されている。
この第１コネクタキャップの引き出し部２２ａを中心として、第１コネクタキャップ２０ａが回転する。
また、第１開口部２５ａの連結部方向の位置には、第１コネクタキャップの係止部４０ａが配置されている。
この第１コネクタキャップの係止部４０ａは、第１コネクタキャップ２０ａに形成された突起と係合する。そして、この係合によって、第１コネクタキャップ２０ａは第１開口部２５ａを閉塞（キャップ）する。
【００２７】
第２開口部２５ｂの内部には第２コネクタ２１ｂが配置されている。
また、第２開口部２５ｂの連結部方向の位置には第２コネクタキャップ２０ｂを第２筐体３に係止するための第２コネクタキャップの引き出し部２２ｂが形成されている。
この第２コネクタキャップの引き出し部２２ｂを中心として、第２コネクタキャップ２０ｂが回転する。
また、第２開口部２５ｂの連結部方向の位置には、第２コネクタキャップの係止部４０ｂが配置されている。
この第２コネクタキャップの係止部４０ｂは、第２コネクタキャップ２０ｂに形成された突起と係合する。そして、この係合によって、第２コネクタキャップ２０ｂは第２開口部２５ｂを閉塞（キャップ）する。
【００２８】
第１コネクタキャップ２０ａ及び第２コネクタキャップ２０ｂは、可撓性を有する材質によって構成されている。たとえば、ゴム等のエラストマーによって構成されている。
【００２９】
図４は、図３における第１開口部２５ａ及び第２開口部２５ｂを拡大した拡大図である。
【００３０】
図４のように、第１開口部２５ａと第２開口部２５ｂとの間部分に、第１リブ２３ａ及び第２リブ２３ｂを有している。
より具体的には、第２筐体フロントケース６側には第１リブ２３ａが配置されており、第２筐体リアケース７側には第２リブ２３ｂが配置されている。
第１リブ２３ａ及び第２リブ２３ｂは、第２筐体フロントケース６の側面における表面よりも、内部側に形成されている。
また、第１リブ２３ａ及び第２リブ２３ｂは、第２筐体リアケース７の側面における表面よりも、内部側に形成されている。
【００３１】
第１リブ２３ａは、第１コネクタキャップ２０ａの連結部方向の端部と接するように構成されており、第１コネクタキャップ２０ａの連結部方向における位置決めを行っている。
同時に、第１リブ２３ａは、第２コネクタキャップ２０ｂの連結部反対方向の端部と接するように構成されており、第２コネクタキャップ２０ｂの連結部反対方向における位置決めを行っている。
なお、第２リブ２３ｂも、第１コネクタキャップ２０ａ及び第２コネクタキャップ２０ｂの位置決めの機能を有していないわけではないが、それはあくまで補助的なものとなっている。そのための構成、及び、そのような構成を有する理由は図５における説明において記述する。
【００３２】
図５は、図４におけるＡ部分を拡大した拡大図である。
【００３３】
図５のように、第２筐体フロントケース６には第１リブ２３ａが配置されており、第２筐体リアケース７には第２リブ２３ｂが配置されている。第２筐体リアケース７には、第２リブ２３ｂが配置されている。
そして、第１リブ２３ａは、連結部反対方向を向いた第１リブ連結部反対方向面２７ａと、連結部方向を向いた第１リブ連結部方向面２８ａと、右側面方向を向いている第１リブ外部側表面２９ａと、を有してしている。
この第１リブ連結部反対方向面２７ａは、第１コネクタキャップ２０ａの連結部方向の端部と当接して、第１コネクタキャップ２０ａの連結部方向への移動を制限して、位置決めしている。
また、第１リブ連結部方向面２８ａは、第２コネクタキャップ２０ｂの連結部反対方向の端部と当接して、第２コネクタキャップ２０ｂの連結部反対方向への移動を制限して、位置決めしている。
第２リブ２３ｂは、連結部反対方向を向いた第２リブ連結部反対方向面２７ｂと、連結部方向を向いた第２リブ連結部方向面２８ｂと、右側面方向を向いている第２リブ外部側表面２９ｂと、を有してしている。
【００３４】
第１リブ２３ａの第１リブ幅２４ａと、第２リブ２３ｂの第２リブ幅２４ｂでは、第２リブ幅２４ｂの方が狭く形成されている。具体例としては、第１リブ幅２４ａは０.６ｍｍ程度とし、第２リブ幅２４ｂは０．４ｍｍとする。
このように、第１リブ幅２４ａが第２リブ幅２４ｂよりも狭く形成されている理由を以下説明する。
第２筐体フロントケース６及び第２筐体リアケース７は、図１の様に連結部方向の方が長く構成される。
そして、第２筐体フロントケース６及び第２筐体リアケース７を射出成型等によって形成する場合に、長手方向の方に寸法誤差が生じやすい。
そうすると、第１リブ２３ａと第２リブ２３ｂが全く同じ幅を有していると、どうしても、第１リブ連結部反対方向面２７ａと第２リブ連結部反対方向面２７ｂが面一面とならずに段差が生じてしまう。
そこで、第２リブ幅２４ｂを第１リブ幅２４ａよりも狭く構成する。
そうすると、たとえ多少寸法誤差が生じても、第１リブ幅２４ａの方が幅広に構成されているのであるから、その幅広の多い分の範囲であれば、第２リブ２３ｂが連結部方向又は連結部反対方向にずれても第２リブ連結部反対方向面２７ｂは第１リブ連結部反対方向面２７ａよりも突出することはない。
そして、第１コネクタキャップ２０ａの位置決めを、第２リブ連結部反対方向面２７ｂではなく、第１リブ連結部反対方向面２７ａによってのみ行うのであれば、第２リブ２３ｂとは無関係に第１コネクタキャップ２０ａを位置決めすることができる。
この関係は、第１リブ連結部方向面２８ａと第２リブ連結部方向面２８ｂも同様である。
つまり、第２リブ幅２４ｂを第１リブ幅２４ａよりも狭くすることによって、第１コネクタキャップ２０ａと第２コネクタキャップ２０ｂの位置決めを、第１リブ２３ａのみによって行うことができる。
そして、位置決めを第１リブ２３ａのみによって行うことができるということは、寸法誤差が生じた場合であっても第１コネクタキャップ２０ａと第２コネクタキャップ２０ｂの位置決を行うことができることを意味する。
【００３５】
図６は、図５におけるＶＩ−ＶＩにおける断面図である。
【００３６】
図６のように、第１コネクタキャップ２０ａは、連結部方向端部に形成された第１コネクタキャップ面３０ａ及び第１コネクタキャップ張出部３２ａを有する。
また、第２コネクタキャップ２０ｂは、連結部反対方向端部に形成された第２コネクタキャップ面３０ｂ及び第２コネクタキャップ張出部３２ｂを有する。
第１リブ連結部反対方向面２７ａは、第１コネクタキャップ面３０ａと当接することによって、第１コネクタキャップ２０ａが連結部方向に移動することを制限している。
また、第１リブ連結部方向面２８ａは、第２コネクタキャップ面３０ｂと当接することによって、第２コネクタキャップ２０ｂが連結部反対方向に移動することを制限している。
【００３７】
第１コネクタキャップ張出部３２ａは、第１リブ連結部反対方向面２７ａよりも連結部方向に張出している。そして、第１リブ外部側表面２９ａに覆いかぶさっている。
第２コネクタキャップ張出部３２ｂは、第１リブ連結部方向面２８ａよりも連結部反対方向に張出している。そして、第１リブ外部側表面２９ａに覆いかぶさっている。
第１コネクタキャップ張出部３２ａ及び第２コネクタキャップ張出部３２ｂは、対向し、近接しているので、第１コネクタキャップ２０ａ及び第２コネクタキャップ２０ｂが装着されると、外部からは第１リブ外部側表面２９ａはほとんど認識することができない。
【００３８】
図７は、図５のＶＩＩ−ＶＩＩにおける断面図である。
【００３９】
図７のように、第１リブ外部側表面２９ａと第２リブ外部側表面２９ｂは、第２筐体フロントケース６及び第２筐体リアケース７の右側面方向の表面よりも内部側に位置している。
なお、第２筐体リアケース７の裏面方向にはバッテリカバー２６が配置されている。
【００４０】
以上のような構成によって、携帯電話機１は、第１リブ２３ａ及び第２リブ２３ｂを用いて、第１コネクタキャップ２０ａ及び第２コネクタキャップ２０ｂの位置決めを容易に行うことが可能となる。
さらに、支柱をなくすことができることから、見栄えを良くすることができる。
そして、支柱を設けなくても済むということは、デザイン上の制約が減ることを意味するのであるから、デザインの自由度が向上する。
また、第１リブ２３ａ及び第２リブ２３ｂが第１コネクタキャップ張出部３２ａ及び第２コネクタキャップ張出部３２ｂによって、ユーザに見えないように覆われるのであるから、意匠性が向上する。
そして、第１リブ２３ａ及び第２リブ２３ｂが第１コネクタキャップ張出部３２ａ及び第２コネクタキャップ張出部３２ｂによって覆われているということは、以下のような効果を生む。
たとえ、片方の第１コネクタキャップ２０ａが開けられたとしても、他方である第２コネクタキャップ張出部３２ｂはそのままであるのだから、第２コネクタキャップ張出部３２ｂによって第１リブ２３ａ及び第２リブ２３ｂの右側面方向の半分は覆われている。
そうすると、第１リブ２３ａ及び第２リブ２３ｂの存在は目立たないのであるから、デザイン性の悪化を防ぐことができる。
さらに、第１コネクタキャップ２０ａと第２コネクタキャップ２０ｂが同時に開けられた場合であっても、第１リブ２３ａ及び第２リブ２３ｂは、第２筐体フロントケース６及び第２筐体リアケース７の表面よりも内部側に位置するのであるから、目立たない。そのことは、デザイン性が良いということを意味する。
加えて、第１リブ２３ａの第１リブ幅２４ａが、第２リブ２３ｂの第２リブ幅２４ｂよりも厚く構成されていることから、形成時に形成誤差があっても、第１コネクタキャップ２０ａと第２コネクタキャップ２０ｂを確実に行うことができる。
さらに加えて、第１リブ幅２４ａが第２リブ幅２４ｂよりも厚く構成されていることから、形成時に形成誤差があっても、第２リブ２３ｂが第１リブ２３ａよりも張出すという意匠性を害する事態が生じないという効果がある。
【００４１】
以上の実施形態によれば、本発明に係る携帯電話機１は第２筐体３と、第２筐体３側面に形成される、第１開口部２５ａ及び第２開口部２５ｂと、第１開口部２５ａと第２開口部２５ｂの間部分に設けられているリブ２３と、を有している。
また、第１開口部２５ａと前記第２開口部２５ｂを閉塞可能な第１コネクタキャップ２０ａ、第２コネクタキャップ２０ｂを有している。
そして、リブ２３の外部側表面は、第２筐体３側面の開口部２５以外の部分の外部側表面よりも、内部側に位置する。
このような構成によって、支柱１００をなくすことができることから、見栄えを良くすることができる。
そして、支柱１００を設けなくても済むということは、デザイン上の制約が減ることを意味するのであるから、デザインの自由度が向上する。
同時に、リブ２３は第１コネクタキャップ２０ａ及び第２コネクタキャップ２０ｂの位置決めも行うことができるので、第１コネクタキャップ２０ａ及び第２コネクタキャップ２０ｂがずれてしまうことがなくなる。
【００４２】
第２筐体３は、第２筐体フロントケース６と、第２筐体フロントケース６と内面同士を対向させて接合される第２筐体リアケース７と、を有している。
そして、第１開口部２５ａ及び第２開口部２５ｂは、第２筐体３の第２筐体フロントケース６と第２筐体リアケース７とが接合される部分に、第２筐体フロントケース及び第２筐体リアケース７の両筐体の切欠部を対向させて形成されている。
このような構成によって、支柱１００をなくすことができることから、見栄えを良くすることができる。
そして、支柱１００を設けなくても済むということは、デザイン上の制約が減ることを意味するのであるから、デザインの自由度が向上する。
【００４３】
リブ２３は、第２筐体フロントケース６に設けられている第１リブ２３ａと、第２筐体リアケース７に設けられている第２リブ２３ｂと、を有し、第２リブ２３ｂの第２リブ幅２４ｂは、第１リブ２３ａの第１リブ幅２４ａよりも狭く形成されている。
このような構成によって、第１リブ２３ａの第１リブ幅２４ａが、第２リブ２３ｂの第２リブ幅２４ｂよりも厚く構成されていることから、形成時に形成誤差があっても、第１コネクタキャップ２０ａと第２コネクタキャップ２０ｂを確実に行うことができる。
さらに加えて、第１リブ幅２４ａが第２リブ幅２４ｂよりも幅広に構成されていることから、形成時に形成誤差があっても、第２リブ２３ｂが第１リブ２３ａよりも張出すという意匠性を害する事態が生じないという効果がある。
【００４４】
第１開口部２５ａ及び第２開口部２５ｂのそれぞれに配設されているコネクタ２１と、第１開口部２５ａ及び第２開口部２５ｂのそれぞれに配設され、各開口部２５を閉塞可能なコネクタキャップ２０と、を有する。
このような構成によって、第１リブ２３ａ及び第２リブ２３ｂを用いて、第１コネクタキャップ２０ａ及び第２コネクタキャップ２０ｂの位置決めを容易に行うことが可能となる。
【００４５】
第１開口部２５ａを閉塞可能な第１コネクタキャップ２０ａは、第２開口部２５ｂ側と反対側の位置の第１コネクタキャップの引き出し部２２ａにおいて第２筐体フロントケース６及び第２筐体リアケース７と連結されている。
また、第２開口部２５ｂを閉塞可能な第２コネクタキャップ２０ｂは、第１開口部２５ａ側と反対側の位置の第２コネクタキャップの引き出し部２２ｂにおいて第２筐体フロントケース６及び第２筐体リアケース７と連結されている。
そして、リブ２３は、第１コネクタキャップ２０ａが第１開口部２５ａを閉塞する場合における位置決めを行っており、リブ２３は、第２コネクタキャップ２０ｂが第２開口部２５ｂを閉塞する場合における位置決めを行っている。
このような構成によって、第１リブ２３ａ及び第２リブ２３ｂを用いて、第１コネクタキャップ２０ａ及び第２コネクタキャップ２０ｂの位置決めを容易に行うことが可能となる。
【００４６】
第１コネクタキャップ２０ａが第１開口部２５ａを閉塞し、第２コネクタキャップ２０ｂが第２開口部２５ｂを閉塞している場合に、第１コネクタキャップ２０ａの第１コネクタキャップ張出部３２ａに覆いかぶさっている。
そして、第２コネクタキャップ２０ｂの第２コネクタキャップ張出部３２ｂは、前記リブ２３の外部側表面に覆いかぶさっている。
このような構成によって、第１リブ２３ａ及び第２リブ２３ｂが第１コネクタキャップ張出部３２ａ及び第２コネクタキャップ張出部３２ｂによって、ユーザに見えないように覆われるのであるから、意匠性が向上する。
そして、第１リブ２３ａ及び第２リブ２３ｂが第１コネクタキャップ張出部３２ａ及び第２コネクタキャップ張出部３２ｂによって覆われているということは、以下のような効果を生む。
たとえ、片方の第１コネクタキャップ２０ａが開けられたとしても、他方である第２コネクタキャップ張出部３２ｂはそのままであるのだから、第２コネクタキャップ張出部３２ｂによって第１リブ２３ａ及び第２リブ２３ｂの右側面方向の半分は覆われている。
そうすると、第１リブ２３ａ及び第２リブ２３ｂの存在は目立たないのであるから、デザイン性の悪化を防ぐことができるという効果がある。
さらに、第１コネクタキャップ２０ａと第２コネクタキャップ２０ｂが同時に開けられた場合であっても、第１リブ２３ａ及び第２リブ２３ｂは、第２筐体フロントケース６及び第２筐体リアケース７の表面よりも内部側に位置するのであるから、目立たない。そのことは、デザイン性が良くなるという効果を有する。
【００４７】
コネクタキャップ２０は、可撓性を有する材質によって構成されている。
このような構成によって、コネクタキャップ２０を容易に開口部２５に挿入することができる。
【００４８】
なお、以上の実施形態において、第１筐体２及び第２筐体３は本発明の筐体の一例である。つまり、筐体とは、携帯電子機器を収容する容器に該当するものであればどのようなものであってもよい。さらに、容器の一部、例えば、第１筐体フロントケース４、第１筐体リアケース５、第２筐体フロントケース６及び第２筐体リアケース７であっても筐体に該当する。
【００４９】
本発明は、以上の実施形態に限定されず、種々の態様で実施されてよい。
【００５０】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００５１】
１…携帯電話機、２…第１筐体、３…第２筐体、４…第１筐体フロントケース、５…第１筐体リアケース、６…第２筐体フロントケース（第１の筐体）、７…第２筐体リアケース（第２の筐体）、８…表示部、９…ヒンジ部、１０…入力部、１１…右側面、１２…左側面、２０…コネクタキャップ、２０ａ…第１コネクタキャップ（第１のコネクタキャップ）、２０ｂ…第２コネクタキャップ（第２のコネクタキャップ）、２１…コネクタ、２１ａ…第１コネクタ、２１ｂ…第２コネクタ、２２ａ…第１コネクタキャップの引き出し部（第１の引き出し部）、２２ｂ…第２コネクタキャップの引き出し部（第２の引き出し部）、２３…リブ、２３ａ…第１リブ（第１のリブ）、２３ｂ…第２リブ（第２のリブ）、２４ａ…第１リブ幅、２４ｂ…第２リブ幅、２５…開口部、２５ａ…第１開口部（第１の開口部）、２５ｂ…第２開口部（第２の開口部）、２６…バッテリカバー、２７ａ…第１リブ連結部反対方向面、２７ｂ…第２リブ連結部反対方向面、２８ａ…第１リブ連結部方向面、２８ｂ…第２リブ連結部方向面、２９ａ…第１リブ外部側表面、２９ｂ…第２リブ外部側表面、３０ａ…第１コネクタキャップ面、３０ｂ…第２コネクタキャップ面、３２ａ…第１コネクタキャップ張出部（第１張出部）、３２ｂ…第２コネクタキャップ張出部（第２張出部）、４０ａ…第１コネクタキャップの係止部、４０ｂ…第２コネクタキャップの係止部、Ａ…リブ部
【図１】
2010258833.tif 000003
【図２】
2010258833.tif 000004
【図３】
2010258833.tif 000005
【図４】
2010258833.tif 000006
【図５】
2010258833.tif 000007
【図６】
2010258833.tif 000008
【図７】
2010258833.tif 000009
【図８】
2010258833.tif 000010